(57)【特許請求の範囲】
【請求項１】
それぞれ端部に金属製フランジ（１）を気密に有する二つの金属製の管体（２）、（２）；前記いずれか一方のフランジ（１）に、前記両管体（２）、（２）が連通する様に設けられた、後記破裂板（３）の保持部（４）；該保持部（４）に溶接（５）により前記両管体（２）、（２）の連通を遮断して設けられた金属製の破裂板（３）；前記二つのフランジ（１）、（１）を、前記管体（２）、（２）を対応させ、固定部材（６）により固定７させて形成された基体（８）；前記両フランジ（１）、（１）間に、かつ前記固定部（７）をカバーして溶接（５）された金属製の密封カバー（９）；から成ることを特徴とする、熱媒の飽和蒸気による加熱装置に用いる圧力逃し装置。
【請求項２】
基体（８）は両フランジ（１）、（１）間にパッキング（１０）を有している請求項１記載の、熱媒の飽和蒸気による加熱装置に用いる圧力逃し装置。
【請求項３】
密封カバー（９）の溶接部５は、両フランジ（１）、（１）の、環状の突条（１１）、（１２）にそれぞれ形成されている請求項１、又は２記載の、熱媒の飽和蒸気による加熱装置に用いる圧力逃し装置。
【請求項４】
密封カバー（９）は溶接（５）した、外方に突出する突起部（１３）を有する請求項１、２、又は３記載の熱媒の飽和蒸気による加熱装置に用いる圧力逃し装置。
【請求項５】
密封カバー（９）は容易に破壊される無端状で薄肉状の弱化線（１４）を有している請求項１、２又は３記載の熱媒の飽和蒸気による加熱装置に用いる圧力逃し装置。
【請求項６】
密封カバー（９）は弱化線（１４）を裂切る把持部材（１５）を有している請求項５記載の熱媒の飽和蒸気による加熱装置に用いる圧力逃し装置。
【請求項７】
密封カバー（９）は、密封カバー（９）の一部に、密封カバー（９）の一部を巻き取ることにより密封カバー（９）を裂切る巻取部（１６）及び巻取部材（１７）を有している請求項１、２又は５記載の熱媒の飽和蒸気による加熱装置の圧力逃し装置。
【請求項８】
密封カバー（９）は、該密封カバー（９）の内外に連通したリークテスト用のテスト筒（１９）を有する、請求項１、２、３、４、５、６、又は７記載の、熱媒の飽和蒸気による加熱装置の圧力逃し装置。
【請求項９】
飽和蒸気による加熱装置（２０）は、圧力逃し装置（２１）の外、上記加熱装置（２０）のヒータ（２２）の開閉装置（２３）を制御する圧力スイッチ（２４）を有し、該圧力スイッチ（２４）の作動圧力をＡとし、前記圧力逃し装置の作動圧力をＢとし、Ａ＜Ｂに形成した請求項１、２、３、４、５、６、７又は８記載の、熱媒の飽和蒸気による加熱装置の圧力逃し装置。
【請求項１０】
圧力スイッチ（２４）はベローズ（２５）及びマイクロスイッチ（２６）により構成されている請求項９記載の熱媒の飽和蒸気による加熱装置の圧力逃し装置。
【発明の詳細な説明】
【０００１】
【発明の属する技術分野】
この発明は合成樹脂製品の製造又は加工過程、その他に広く用いられる熱媒の飽和蒸気による加熱装置の圧力逃し装置に関するものである。
【０００２】
【従来の技術】
従来この種の装置は一例として図１０及び図１１に示すように形成されている。図１０において７１は熱媒の飽和蒸気による加熱装置であり、７２はそのケーシング、７３はその中に収容された熱媒であり、加熱のための必要な温度により各種の液体が用いられる。７４は電熱ヒータ、７５は飽和蒸気、７６は被加熱物を加熱する加熱部、７７は圧力逃し装置である。そしてこの圧力逃し装置７７は一例として図１１に示すように構成されている。
同図において、７８、７８はフランジであり、この各フランジ７８、７８にそれぞれ管体７９が設けられている。８０は溶接部を示す。そして前記両フランジ７８、７８はボルトによる固定部材８１により固定８２されている。８３は破裂板であり、アルミニウム、銀、インコネル、ステンレス等により形成されており、テフロンＯリング、金属製Ｏリング等のパッキング８４により気密に設けられている。
図１０における前記ケーシング７２内の圧力が、図１１における破裂板８３の破裂圧力以上になると、破裂板８３が破裂し、ケーシング７２内の飽和蒸気７５をケーシング７２外へ放出し、ケーシング７２内の圧力上昇を防止する。
【０００３】
【発明が解決しようとする課題】
しかし上記従来の圧力逃し装置は次のような問題を有していた。それは通常使用の際にはケーシング７２内は大気圧以上になっているが、電源８５OFF の非使用時には大気圧以下になり、それが長時間に及ぶと微量の大気がパッキング８４よりケーシング７２内に侵入する。但しこの侵入の理由は不明であり、前記パッキング８４は、例えば前記のようにテフロンＯリング又は金属製Ｏリング等を用い、リークを厳密に防止しても、長時間（一例として１０日）後には上記侵入が行われている。このように現在完全な防止はできていない。
そして、その結果ケーシング７２は熱の伝達が不良になる。そのため再使用時には、予め侵入大気の排出を要しその間加熱装置は稼動できない。なお上記大気の排出は、図示は省略するが圧力逃し装置７１より上流の管体７９にバルブを有する枝管を設けておき、この枝管から行う。この枝管は使用後上記バルブを用いて閉止される。
この発明は上記のような問題を解決するためになされたもので、その目的はケーシング内の圧力が大気圧以下の場合でも、大気が加熱装置のケーシング内に侵入するのを完全に防止できる、熱媒の飽和蒸気による加熱装置に用いる圧力逃し装置を提供することである。又他の目的は加熱装置のケーシング内が大気圧以下でも使用できる、熱媒の飽和蒸気による加熱装置に用いる圧力逃し装置を提供することである。
【０００４】
【課題を解決するための手段】
上記の目的を達するこの発明について述べるとそれは、それぞれ端部に金属製フランジ１を気密に有する二つの金属製の管体２、２；前記いずれか一方のフランジ１に、前記両管体２、２が連通する様に設けられた、後記破裂板３の保持部４；該保持部４に溶接５により前記両管体の連通を遮断して設けられた金属製の破裂板；前記二つのフランジ１、１を、前記管体２、２を対応させ、固定部材６により固定７させて形成された基体８；前記両フランジ１、１間に、かつ前記固定部７をカバーして溶接５された金属製の密封カバー９；から成ることを特徴とする、熱媒の飽和蒸気による加熱装置に用いる圧力逃し装置である。又、基体８は両フランジ１、１間にパッキング１０を有している前記熱媒の飽和蒸気による加熱装置に用いる圧力逃し装置である。又、密封カバー９の溶接部５は、両フランジ１、１の、環状の突条１１、１２にそれぞれ形成されている前記熱媒の飽和蒸気による加熱装置に用いる圧力逃し装置である。又、密封カバー９は溶接５した、外方に突出する突起部１３を有する前記熱媒の飽和蒸気による加熱装置に用いる圧力逃し装置である。又、密封カバー９は容易に破壊される無端状で薄肉状の弱化線１４を有している、前記熱媒の飽和蒸気による加熱装置に用いる圧力逃し装置である。又、密封カバー９は弱化線１４を裂切る把持部材１５を有している前記熱媒の飽和蒸気による加熱装置に用いる圧力逃し装置である。又、密封カバー９は、密封カバー９の一部に、密封カバー９の一部を巻き取ることにより密封カバー９を裂切る巻取部１６及び巻取部材１７を有している前記熱媒の飽和蒸気による加熱装置の圧力逃し装置である。又、密封カバー９は、該密封カバー９の内外に連通したリークテスト用のテスト筒１９を有する、前記熱媒の飽和蒸気による加熱装置の圧力逃し装置である。又、飽和蒸気による加熱装置２０は、圧力逃し装置２１の外、上記加熱装置２０のヒータ２２の開閉装置２３を制御する圧力スイッチ２４を有し、該圧力スイッチ２４の作動圧力をＡとし、前記圧力逃し装置の作動圧力をＢとし、Ａ＜Ｂに形成した前記熱媒の飽和蒸気による加熱装置の圧力逃し装置である。又、圧力スイッチ２４はベローズ２５及びマイクロスイッチ２６により構成されている前記熱媒の飽和蒸気による加熱装置の圧力逃し装置である。
【０００５】
【作用】
請求項１の発明は、金属製の管体２を気密に設けた二つの金属製のフランジ１、１間を、該フランジ１、１間を固定した固定部７をカバーして、金属製の密封カバー９を用いて溶接５し、かつ前記フランジ１、１の一方に設けた保持部４に、金属製の破裂板３を、管体２を遮断して溶接５したことにより、この加熱装置の非使用時に、その内部が大気圧以下の圧力となり、かつその状態が長期に及んでも大気の侵入を完全に防止することができる。又、電源ＯＮの状態で、加熱装置内が大気圧以下である場合も使用することができる。
しかも破裂板３が破裂し、それを取り替える場合も、前記金属製の密封カバー９を回転カッター等により容易に破壊することができ、従ってそこから固定部７を開放することによって容易に破裂した破裂版３を取替えることができる。
請求項２の発明は、請求項１の発明の大気漏洩防止の機能を二重にさせたもので、理想的完全に防止することができる。
請求項３の発明はフランジ１、１に密封カバー９を溶接５の際に、フランジ１、１に熱歪を与えることがごく少くてすみ、製品を不良とする、フランジ１における歪の発生を防止できる。
請求項４の発明は密封カバー９における溶接部５は、外方に突出する突出部１３としたことにより、破裂板３取替えの際、前記突出部１３は回転カッター等により、その溶接部５の切開による開放を容易にすることができる。
又請求項５の発明は密封カバー９に無端状で薄肉の弱化線１４を形成したことにより、この薄肉の弱化線１４を、適宜の器具により裂切ることにより容易に破壊することができ、従って破裂板３の破裂の際、破裂板３の取り替えを容易にすることができる。
請求項６の発明は、把持部材１５を外方に引っ張ることにより、弱化線１４を裂切るため、弱化線１４の裂切りを容易にすることができ、破裂板３破裂の際、その取替えを容易にすることができる。
請求項７の発明は巻取部材１７を用いて巻取部１６を巻き取ることにより、容易に前記密封カバー９を裂き切ることができ、破裂板３の取替えの際取替え作業を容易にすることができる。
請求項８の発明は密封カバー９にテスト筒１９を設けたことにより、同テスト筒１９に真空ポンプを連通し、この装置の周囲に一例としてヘリウムを充満させ、同装置の気密性をテストし、気密性良好であればテスト筒１９を溶接等により閉止１８する。このように簡単な構造により装置の性能をテストすることができる。しかもその場合、他の作用として密封カバー９内の空気を抜取ることができる。密封カバー９内に空気が存在すると、この空気は長期間のうちに加熱装置２０内へ吸引され、侵入するのである。
請求項９の発明は、その構成により加熱装置２０内の圧力が、圧力逃し装置２１の作動圧力に達する前にヒータ２２の開閉装置２３を開放するため、圧力逃し装置２１の破裂板３の破裂を防止できる。
請求項１０の発明は、圧力スイッチをベローズ２５及びマイクロスイッチ２６により形成したことにより、加熱装置２０の内圧が上昇した際、ベローズ２５は伸張し、これに接続したマイクロスイッチ２６を作動させる。即ちベローズ２５の構造により確実に圧力を伝達でき、確実にマイクロスイッチを作動させることができる。
【０００６】
【発明の実施の形態】
図１において１、１は金属製の二つのフランジで、それぞれ金属製管体２を有しており、５は溶接部を示す。４は金属製の保持部であり、前記フランジ１、１のいずれか一方に溶接５されている。
但しこの保持部４は溶接５することなく、フランジ１に一体に形成されていてもよく、この発明においてはその両方を含むものである。
そして同保持部４には溶接して金属製破裂板３が設けられている。該破裂板３はアルミニウム、銀、ステンレス、インコネル等により形成された板体で、所定圧力により破裂して加熱装置２０内の圧力上昇を防止している。６は固定部材であり、一例としてボルトを用い二つのフランジ１、１を固定７している。８はこのようにして形成された基体である。
次に９は金属板製の密封カバーであり、両フランジ１、１間に、かつ前記固定部７をカバーして、溶接５されている。
１０は金属Ｏリング、テフロンＯリング等により形成されたパッキングであり、図１に示すようにＯリングの保有部２８に収容されている。
次に前記密封カバー９は図２に示すように、フランジ１に形成した突条１１、１２にそれぞれ溶接されていてもよい。このように形成することにより、溶接の際の熱歪がフランジ１に及んで、製品が不良になるのを防止できる。
図３に示すものは、密封カバー９において、外方に突出する突出部１３を設け、これを溶接５したもので、このようにすることにより破裂板３取替えの際に、回転カッタ等によりこの部分の切開を容易にすることができる。又前記密封カバー９は図４〜図６に示すように、容易に破壊される弱化線１４を設けてもよい、この弱化線１４は薄肉の溝状に、かつ無端状に形成されており、このため破裂板３を設けた保持部材４取替えの際に、この弱化線１４をマイナスドライバー及びハンマー又は小力とハンマー等の適宜な器具で破壊することにより、上記取替えを容易にすることができる。
又図４〜図６に示すように前記弱化線１４に接して又は弱化線１４の近傍に把持部材１５を設けてもよい。この把持部材１５は、該把持部材１５を持って引き起こすことにより、該把持部材１５につながる弱化線２９が切れ、ついで把持部材１５を弱化線１４方向に引っ張ることにより、弱化線１４は裂切られ、こうして密封カバー９を容易に開放できる。３１は固定部を示す。
次に図７、図８に示すものは前記密封カバー９の一部に巻取部１６を設け、この巻取部１６に巻取部材１７を設けたものである。５は溶接部を示す。
なお前記巻取部１６と密封カバー９との溶接は一部であり、すべてではなく、他の一部は巻取部材１７に形成した穴２９に挿入されて固定されている。これを用いて密封カバー９を裂切る場合、図における矢印Ｃの方向に回動させることにより密封カバー９は裂切られ、容易に開放できるようになっている。
次に、図１において、１９は前記密封カバー９の一部に設けられた圧力逃し装置２０のリークテストを行うテスト筒であり、テスト前には開放して形成されている。該テスト筒１９に図示しない真空ポンプを接続しこの装置の周囲に一例としてヘリュームガスを充満させる。（それに用いるハウジング等は図示省略）このようにすることにより、この圧力逃し装置のリークテストを行うことができる。なお同テスト終了後は、図１に示すように溶接、かしめ加工等により閉止１８する。
【０００７】
次に、図９において、２４は圧力スイッチであり、加熱装置２０に連通して設けられている。
そして同圧力スイッチ２４はヒータ２２を開閉する開閉装置２３を制御するように形成されている。そして同圧力スイッチ２４の作動圧力をＡとすると同Ａは、前記圧力逃し装置を２１とし、同圧力逃し装置２１の作動圧力をＢとして、Ａ＜Ｂの関係に形成される。このため、前記圧力逃し装置２１の作動する以前に圧力スイッチ２４が作動し、前記ヒータ２２の開閉スイッチ２３が開放され、加熱装置２０内の圧力は降下し、圧力逃し装置２１の破裂板３の破裂はまぬがれる。
又同圧力スイッチ２４は一例として、図９に示すようにベローズ２５と、これにより作動させられるマイクロスイッチ２６によって形成されている。加熱容器２０内の圧力の増大によりベローズ２５は伸脹し、それにより、マイクロスイッチ２６が閉じ、開閉装置２３が開くようになっている。
【０００８】
このように形成された前記圧力逃し装置は加熱装置２０の加熱により図９に示す加熱部３０において、図示しない溶融ポリマーの温度を一定に保ち、のち図示しない成型装置で、成型する。加熱装置２０内の圧力が高まり、破裂板３が破裂した場合は前記のようにして密封カバー９を除去し、固定部７を外し、破裂板３を取り替える。
なおこの実施例においては、破裂板３を溶接５した保持部４がフランジ１に溶接５されて設けられており、破裂板３取替えの際は前記保持部４とフランジ１の間の溶接部５を回転カッタ等により切り、前記破裂板３は保持部４と共に除去され、そこに、新たに破裂板３を溶接５した保持部４を溶接５して取替える。但しこのような方法に替えて保持部４はそのままにしておき、破裂板３のみを取替えても差支えはない。又前記保持部４がフランジ１に一体に設けられているものにあっては、破裂板３のみを取替えるのである。この発明においては上記の各取替方法をすべて含むものである。
【０００９】
【発明の効果】
請求項１の発明は、金属製の管体２を気密に設けた二つの金属製のフランジ１、１間を、該フランジ１、１間を固定した固定部７をカバーして、金属製の密封カバー９を用いて溶接５し、かつ前記フランジ１、１の一方に設けた保持部４に、金属製の破裂板３を、管体２を遮断して溶接５したことにより、この加熱装置の非使用時に、その内部が大気圧以下の圧力となり、かつその状態が長期に及んでも大気の侵入を完全に防止することができる。
なお、前記のような電源ＯＦＦの場合の外、電源ＯＮの状態で加熱装置２０内が大気圧以下の場合でも同様な理由により加熱装置２０を稼動させることができる。しかも破裂板３が破裂し、それを取り替える場合も、前記金属製の密封カバー９を回転カッター等により容易に破壊することができ、従ってそこから固定部７を開放することによって、容易に破裂板３を取替えることができる。
請求項２の発明は、請求項１の発明の大気漏洩防止の機能を二重にさせたもので、理想的完全に防止することができる。
請求項３の発明はフランジ１、１に密封カバー９を溶接５の際に、フランジ１、１に熱歪を与えることがごく少くてすみ、製品を不良とする、フランジ１における歪の発生を防止できる。
請求項４の発明は密封カバー９における溶接部５は、外方に突出する突出部１３としたことにより、破裂板３取替えの際、前記突出部１３は回転カッター等により、その溶接部５の切開による開放を容易にすることができる。
又請求項５の発明は密封カバー９に無端状で薄肉の弱化線１４を形成したことにより、この薄肉の弱化線１４を、適宜の器具により裂切ることにより容易に破壊することができ、従って破裂板３の破裂の際取り替えを容易にすることができる。請求項６の発明は、把持部材１５を外方に引っ張ることにより、弱化線１４を裂切るため、弱化線１４の裂切りを容易にすることができ、破裂板３破裂の際その取替えを容易にすることができる。
請求項７の発明は巻取部材１７を用いて巻取部１６を巻き取ることにより、容易に前記密封カバー９を裂き切ることができ、破裂板３の取替えの際取替え作業を容易にすることができる。
請求項８の発明は密封カバー９にテスト筒１９を設けたことにより、同テスト筒１９に真空ポンプを連通し、装置の周囲にハウジング等を用いてヘリュームを充満させ、同装置の気密性をテストし、気密性良好であればテスト筒１９を溶接等により閉止１８する。このように簡単な構造により装置の性能をテストすることができる。
更に他の効果として上記テスト用の真空ポンプにより、密封カバー９内に存在する空気を抜取ることができ、それにより、そこに空気が存在した場合にその空気が加熱装置２０内へ吸引され侵入するのを防止することができる。
請求項９の発明は、その構成により加熱装置２０内の圧力が、圧力逃し装置２１の作動圧力に達する前にヒータ２２の開閉装置２３を開放するため、圧力逃し装置２１の破裂板３の破裂を防止できる。
請求項１０の発明は、圧力スイッチをベローズ２５及びマイクロスイッチ２６により形成したことにより、加熱装置２０の内圧が上昇した際、ベローズ２５は伸張し、これに接続したマイクロスイッチ２６を作動させる。即ちベローズ２５の構造により確実に圧力を伝達でき、確実にマイクロスイッチ２６を作動させることができる。
【図面の簡単な説明】
【図１】この発明の実施例を示し、熱媒の飽和蒸気による加熱装置に用いる圧力逃し装置の断面図である。
【図２】この発明の第二の実施例を示し、図１に示す装置の部分に相当する図である。
【図３】この発明の第三の実施例を示し、図１に示す装置の部分に相当する図である。
【図４】この発明の第四の実施例を示し、図１に示す装置の部分に相当する図である。
【図５】図４に示す装置の部分の一部を示す斜視図である。
【図６】図４に示す装置の部分の、図５と異る一部を示す斜視図である。
【図７】この発明の第五の実施例を示し、図５に相当する図である。
【図８】この発明の第六の実施例を示し、図６に相当する図である。
【図９】この発明の第七の実施例を示し、熱媒の飽和蒸気による加熱装置の断面図である。
【図１０】従来の熱媒の飽和蒸気による加熱装置の断面図である。
【図１１】図１０に示す装置の部分の拡大詳細図である。
【符号の説明】
１        フランジ
２        管体
３        破裂板
４        保持部材
５        溶接部
６        固定部材
７        固定部
８        基体
９        密封カバー
１０        パッキング
１１        突条
１２        突条
１３        突出部
１４        弱化線
１５        把持部材
１６        巻取部
１７        巻取部材
１８        閉止部
１９        テスト筒
２０        加熱装置
２１        圧力逃し装置
２２        ヒータ
２３        開閉装置
２４        圧力スイッチ
２５        ベローズ
２６        マイクロスイッチ
【図１】
0003843416.tif 000002
【図２】
0003843416.tif 000003
【図３】
0003843416.tif 000004
【図４】
0003843416.tif 000005
【図５】
0003843416.tif 000006
【図６】
0003843416.tif 000007
【図７】
0003843416.tif 000008
【図８】
0003843416.tif 000009
【図９】
0003843416.tif 000010
【図１０】
0003843416.tif 000011
【図１１】
0003843416.tif 000012